(57)【特許請求の範囲】
【請求項１】
２個の部品のうち部品の一つが製品（１１）の片側に装着した前記部品の一つ（１２）に連結したピン（１３）を具備し、ピンが製品を貫通して製品の反対側に装着した別の部品（１０）に固定し、前記部品の一つは内部に警報装置を励起する手段を有し、前記部品の一つ（１０，１２）は前記警報装置または第２の警報装置（２５）に操作的に関連する双安定バネ座金から成る接触素子（２６）から成り、前記接触素子は通常、警報装置が静止した第１の位置にあるが、アラームタグの２個の部品を分離しようとすると警報装置を励起するために第２の位置（２６’）にピンを介して切り替わるように構成されていることを特徴とする２個の部品からなるアラームタグ。
【請求項２】
接触素子（２６）がピン（１３）の連結を介して前記第２の位置に切り替わるように設定されていることを特徴とする請求項１に記載のアラームタグ。
【請求項３】
ピン（１３）および接触素子（２６）が前記部品の一つ内で弾性変形プレート（１５）に操作的に接続されることを特徴とする請求項１または２に記載のアラームタグ。
【請求項４】
ピン（１３）が変形プレート（１５）の膨出部（１７）に連結していることを特徴とする請求項３に記載のアラームタグ。
【請求項５】
開口部周辺部のバネ座金が変形プレート（１５）の膨出部（１７）内の円形周辺溝（２７）で受けられていることを特徴とする請求項１または４に記載のアラームタグ。
【請求項６】
弾性変形プレート（１５）が警報装置を収容する空間の外壁を構成することを特徴とする請求項３から５のいずれかに記載のアラームタグ。
【請求項７】
接触素子（２６）が前記プレート（１５）と前記空間に挿入された回路板（２０）の間に具備され、前記電子制御回路は前記板に包含されまた接触素子（２６）と協働する接触表面（２８）を有することを特徴とする請求項６に記載のアラームタグ。
【請求項８】
前記電子制御回路が警報装置を連続して励起するために接触素子（２６）の前記別の位置に保持されるように構成されていることを特徴とする請求項１から７のいずれかに記載のアラームタグ。
【発明の詳細な説明】
この発明は二つの部品よりなるアラームタグに関する。部品の一つは製品の片側に位置する前記部品に連結したピンを具備し、ピンは製品を貫通して製品の反対側に位置する別の部品でロッキング噛み合い部内に伸張している。前記部品の一つはその部品内にあるアラーム装置を励起する装置を有する。
従来のアラームタグは二形式のいずれかである。アラーム装置がアラームタグ内に位置し、盗難防止製品が盗まれた場合にアラームタグが警報を発するか、アラームタグ内の装置が外部アラーム装置に作用して盗難時に外部に警報を発するかのいずれかである。いずれの場合も前記部品の一つは完全な受動素子を有し、ピンにたいていの場合はプラスチック製であるヘッドを形成している。ヘッドの目的はアラームタグを製品上に機械的に保持するだけである。両ケースともアラームタグによりもたらされる盗難に対する安全性に関しては欠陥がある。したがってピンを切断するかプラスチック製ヘッドを潰してアラームタグを盗難防止製品から取りはずせる。この行為によりピンをアラームタグから抜きとるかアラームタグを外界に運び入れるかもしくは外界から運び去るかしない限り警報は発しない。このようにアラームタグをはずして盗難防止製品を盗難防止区域から警報を発しないで持ち出すことができる。
この発明の目的は盗難防止製品の不法撤去にたいする安全性を改善するアラームタグを提供することにあり、この目的により請求の範囲第１項に記載する特徴を有する上述した種類のアラームタグが得られた。
実施例を開示する添付説明図によりこの発明を詳細に説明する。
第１図は、製品に取り付けたアラームタグの側面図で部分断面を示す。
第２図は、ピンおよびヘッドからなるアラームタグの拡大断面図である。
第１図はアラームタグを示し、部品内に組み込まれるかまたは外部警報装置からなる警報装置から警報を始動させる手段を含む第１の部品１０から構成される。アラームタグがデパートまたは商店の特定区域から持ち出されると、アラームタグが前記区域出口で前記区域内に保持された電磁界または静電界から離れるか、出口通路の両側に位置した弓型部の間に保持された電磁界や静電界を通過してアラームが始動する。アラームタグのこの部位は従来の既知な構成でよい。部品１０は製品１１の片側に適用する。アラームタグはヘッド１４を有するピン１３からなる第２の部品１２でも構成され、前記ヘッドは製品１１の反対側に適用されピンは製品を貫通して部品１０に連結している。取り付け部品は製品が支払われる場所でアラームタグに接続して適用する既知の技術による特殊装置で部品を磁気的または機械的に操作しないと、アラームタグを製品から取り外すために部品を分離できないようになっている。
この発明はアラームタグの２個の部品を移動して離したり、カッターなどを部品間に差し込んでピンを切断しようとすると部品に変形力が生じるという知見に基づいている。この発明では変形力がアラームタグに作用するとアラームタグに警報を発生させるためにこの知見を利用している。従来の構成方法ではプラスチック製ヘッドの目的は製品上のアラームタグと部品１０およびピン１３の協働性を維持するだけであったが、この発明では部品１０の内部または外部に具備した警報装置のほかにヘッド１４に補助警報装置を包含し、部品１２に変形力が形成されると前記補助警報装置が直ちに励起するように構成されている。
部品１２の詳細を第２図に示す。図に示すようにヘッド１４は例として円形である変形プレート１５を有する。前記プレートは好ましくはプレートが耐衝撃性および弾性変形を有しまた溶融可能なプラスチックで製作する。適切な材質の例はポリカーボネートである。プレートは下方に伸張し周辺部でプレートを補強する周辺リム１６と、ピンがピン上に取り付けられたヘッド１８に取り付けられた中央の膨出部１７を有する。円筒状カバー１９はプレート１５に溶着し、バッテリー２１を付属する回路板２０および前記回路板上に位置する電子回路２２を包含する。接点バネ２３および２４が電子回路と音響膜２５、バッテリーと音響膜２５間の電気的接触をそれぞれ維持する。この電子アラーム装置の構成は小型電子警報装置の接続でよく知られている原理に依存しているので詳細に記述しない。
金属製双安定バネ座金からなる接触素子２６は回路板２０およびプレート１５間の指定空間に位置し、膨出部１７内の円形周辺溝２７が受けている開口部周縁部により中央開口部内の膨出部１７に連結している。バネ座金は電子警報回路のオンオフ切り替え接触素子として機能し、通常は実線で示す安定位置にある。この位置ではバネ座金は下方にアーチ状になり、その周辺部でプレート１５の上部表面にかみ合っている。バネ座金がこの位置にあると電子回路の電源は切れていて警報装置は受動状態である。ピン１３に軸方向張力が作用するかピンが傾いてプレート１５が変形すると、バネ座金は第２図に破線で示す別の安定位置にかみ合う。この位置ではバネ座金はその周辺部で回路板２０の下部にかみ合うために上方へアーチ状になる。回路板２０は接触表面２８を有し、バネ座金が前記接触表面にかみ合うと電子回路が閉じる。次に警報装置が励起され音響膜２５が誘導されて振動し適切な周波数の音を出す。カバー１９のスロット２９から音を放出する。カバー内部に発生した音を増幅する共鳴室を設置してもよい。
警報装置が励起されるとバネ座金が実線で示した位置に復帰して装置を遮断できるが、この種リセットはこのため特別にバネ座金を装置内で励起させて可能となる。
実施例中ヘッド１４に装着した警報装置は、何者かがアラームタグを操作して盗難防止製品からアラームタグを除去しようとした時にプレート１５が変形すると直ちに励起される補助警報である。何者かがアラームタグの付着した製品を持ち去ろうとした時に鳴る警報は部品１０または外部警報装置から発し、外部の電磁界または静電界を利用した既知の方法で始動する。しかしこの発明の範囲において前記後者の警報装置を双安定接触素子によって励起させることも可能であり、この場合には補助警報装置は不要となる。
電子警報回路がこの発明の概念の範囲内で数種の異なる方法で構成できることは容易に理解できよう。また接触素子は双安定素子である必要はなく、警報装置を励起状態に保持する電子回路から構成できることも明らかであろう。実施例では警報は電気回路が閉じた時に発するが、電源の供給に関しあまり利点はないが、警報装置の静止時にバネ座金で電気回路を閉に保持する事も可能である。警報はバネ座金が切り替って前記電気回路が開いた時に発する。
【図１】
0003758673.tif 000002
【図２】
0003758673.tif 000003